(57)【要約】【課題】補助照明および光量制御手段を作動させて撮像する際のピーク電流を抑制できる携帯機器用デジタルカメラを提供する。【解決手段】電気的に駆動される絞り兼用シャッタ１３および連続的に点灯する高輝度ＬＥＤ３１と、絞り兼用シャッタ１３および連続的に点灯する高輝度ＬＥＤ３１を駆動制御するシステム制御回路２１を備え、システム制御回路２１は、高輝度ＬＥＤ３１を点灯させて撮像するときは、露出終了前に高輝度ＬＥＤ３１を消灯させてから絞り兼用シャッタ１３を全閉駆動し、露出を終了させる。【選択図】  図５
2005275392.tif 000002
【特許請求の範囲】
【請求項１】
電気的に駆動される光量制御手段および連続的に点灯する補助照明手段とを有する携帯機器用デジタルカメラであって、
前記光量制御手段および補助照明手段を駆動制御する制御手段を備え、
該制御手段は、補助照明手段を点灯させて撮像する場合に前記光量制御手段を駆動するときは、前記補助照明手段を消灯させた状態で前記光量制御手段を駆動すること、を特徴とする携帯機器用デジタルカメラ。
【請求項２】
電気的に駆動される光量制御手段および連続的に点灯する補助照明手段を有する携帯機器用デジタルカメラであって、
前記光量制御手段および補助照明手段を駆動制御する制御手段を備え、
該制御手段は、補助照明手段を点灯させて撮像するときは、露出終了前に補助照明手段を消灯させてから前記光量制御手段を光量全遮断動作させること、を特徴とする携帯機器用デジタルカメラ。
【請求項３】
撮像手段、電気的に駆動される光量制御手段および連続的に点灯する補助照明手段を有する携帯機器用デジタルカメラであって、
前記撮像手段、光量制御手段および補助照明手段を駆動制御するとともに、前記撮像手段で撮像した画像信号に基づいて適正露出時間を求める制御手段を備え、
該制御手段は、補助照明手段を点灯させて撮像する場合において、前記補助照明手段を点灯させて適正露出時間を求め、その後前記光量制御手段を制御動作させるときは、前記補助照明手段を消灯させて前記光量制御手段を制御動作させ、制御動作後に前記補助照明手段を点灯させること、を特徴とする携帯機器用デジタルカメラ。
【請求項４】
前記制御手段は、前記光量制御手段を制御動作させ、前記補助照明手段を点灯させた後に、適正露出時間を求め、該適正露出時間で露出を開始したときは、前記適正露出時間経過時に前記照明手段を消灯させ、その後前記光量制御手段を光量全遮断動作させて露出を終了させる請求項３記載の携帯機器用デジタルカメラ。
【請求項５】
前記光量制御手段は、絞り羽根を電気的に開閉駆動する絞り／シャッタ装置である請求項１乃至４のいずれか一項記載の携帯機器用デジタルカメラ。
【請求項６】
撮像手段、電気的に駆動される絞り／シャッタ装置および連続的に点灯する補助照明手段を有する携帯機器用デジタルカメラであって、
前記撮像手段、絞り／シャッタ装置および補助照明手段を駆動制御するとともに、前記撮像手段で撮像した画像信号に基づいて適正露出時間を求める制御手段を備え、
該制御手段は、補助照明手段を点灯させて撮像するときは、前記補助照明手段を低発光量で点灯させてから適正露出時間を求め、露出開始時に前記補助照明手段を高発光量で点灯させ、露出時間経過前に補助照明手段を消灯させてから前記絞り／シャッタ装置を光量全遮断動作すること、を特徴とする携帯機器用デジタルカメラ。
【請求項７】
前記制御手段は、前記補助照明手段の消灯および絞り／シャッタ装置の駆動開始時を、前記適正露出時間経過時に前記絞り／シャッタ装置が略半分閉じるように設定する請求項６記載の携帯機器用デジタルカメラ。
【請求項８】
撮像手段、電気的に駆動される絞り／シャッタ装置および連続的に点灯する補助照明手段を有する携帯機器用デジタルカメラであって、
前記撮像手段、絞り／シャッタ装置および補助照明手段を駆動制御するとともに、前記撮像手段で撮像した画像信号に基づいて適正露出時間を求める制御手段を備え、
該制御手段は、補助照明手段を点灯させて撮像する場合は、前記補助照明手段を点灯させてから適正露出時間を求め、前記撮像手段が露出を開始してから前記補助照明手段を消灯かつ絞り／シャッタ装置の駆動制御を開始する時間を、適正露出時間経過時に前記絞り／シャッタ装置が略半分閉じたときとなるように求め、露出開始から前記求めた時間が経過したときに、前記補助照明手段を消灯してから前記絞り／シャッタ装置の駆動制御を開始すること、を特徴とする携帯機器用デジタルカメラ。
【発明の詳細な説明】
【技術分野】
【０００１】
本発明は、携帯電話、携帯情報端末などの携帯機器に適したデジタルカメラに関する。
【背景技術】
【０００２】
デジタルカメラを搭載した、携帯電話、携帯情報端末などの携帯機器が種々開発されている。この種の携帯機器に搭載されたデジタルカメラの高機能化が進み、補助照明として高輝度ＬＥＤを備えた携帯情報端末機が提案されている（特許文献１）。さらに近年は、携帯機器に搭載されるデジタルカメラについて、露出制御範囲を拡げるための絞り装置の搭載や、高画質に対応するための機械シャッタの搭載が望まれている。
【特許文献１】特開2003-259182号公報
【発明の開示】
【発明が解決しようとする課題】
【０００３】
しかし、高輝度ＬＥＤを点灯させた状態で撮像する場合、高輝度ＬＥＤ点灯用の電流と絞り駆動用の電流が同時に流れてピーク電流が大きくなる。ピーク電流が大きくなると、他の電子部品に供給している電圧が降下したり、バッテリを痛めるおそれがある。一方、高出力、大容量のバッテリは重量、嵩が大きくなるので、小型軽量化が望まれる携帯機器に搭載するのは望ましくなかった。
【０００４】
かかる従来の携帯機器用デジタルカメラの問題に鑑みてなされた本願発明は、補助照明手段および絞り／シャッタ等の光量制御手段を作動させて撮像する際のピーク電流を抑制できる携帯機器用デジタルカメラを提供することを目的とする。さらに本発明の別の目的は、補助照明手段および電気的に動作する絞りまたはシャッタ装置を作動させて撮像する際のピーク電流を抑制しつつ、適正露出が得られる携帯機器用デジタルカメラを提供することにある。
【課題を解決するための手段】
【０００５】
かかる目的を達成する本発明は、電気的に駆動される光量制御手段および連続的に点灯する補助照明手段とを有する携帯機器用デジタルカメラであって、前記光量制御手段および補助照明手段を駆動制御する制御手段を備え、該制御手段は、補助照明手段を点灯させて撮像する場合に前記光量制御手段を駆動するときは、前記補助照明手段を消灯させた状態で前記光量制御手段を駆動すること、に特徴を有する。
【０００６】
請求項２記載の発明は、電気的に駆動される光量制御手段および連続的に点灯する補助照明手段を有する携帯機器用デジタルカメラであって、前記光量制御手段および補助照明手段を駆動制御する制御手段を備え、該制御手段は、補助照明手段を点灯させて撮像するときは、露出終了前に補助照明手段を消灯させてから前記光量制御手段を光量全遮断動作させること、に特徴を有する。
【０００７】
請求項３に記載の発明は、撮像手段、電気的に駆動される光量制御手段および連続的に点灯する補助照明手段を有する携帯機器用デジタルカメラであって、前記撮像手段、光量制御手段および補助照明手段を駆動制御するとともに、前記撮像手段で撮像した画像信号に基づいて適正シャッタ時間を求める制御手段を備え、該制御手段は、補助照明手段を点灯させて撮像する場合において、前記補助照明手段を点灯させて適正シャッタ時間を求め、その後前記光量制御手段を制御動作させるときは、前記補助照明手段を消灯させて前記光量制御手段を制御動作させ、制御動作後に前記補助照明手段を点灯させること、に特徴を有する。
【０００８】
請求項６に記載の発明は、撮像手段、電気的に駆動される絞り／シャッタ装置および連続的に点灯する補助照明手段を有する携帯機器用デジタルカメラであって、前記撮像手段、絞り／シャッタ装置および補助照明手段を駆動制御するとともに、前記撮像手段で撮像した画像信号に基づいて適正露出時間を求める制御手段を備え、該制御手段は、補助照明手段を点灯させて撮像するときは、前記補助照明手段を低発光量で点灯させてから適正露出時間を求め、露出開始時に前記補助照明手段を高発光量で点灯させ、露出時間経過前に補助照明手段を消灯させてから前記絞り／シャッタ装置を光量全遮断動作すること、に特徴を有する。この場合前記制御手段は、前記補助照明消灯および光量制御手段駆動開始時を、前記適正露出時間経過時に前記光量制御手段が略半分閉じるように設定することが望ましい。
【０００９】
請求項８に記載の発明は、撮像手段、電気的に駆動される絞り／シャッタ装置および連続的に点灯する補助照明手段を有する携帯機器用デジタルカメラであって、前記撮像手段、絞り／シャッタ装置および補助照明手段を駆動制御するとともに、前記撮像手段で撮像した画像信号に基づいて適正露出時間を求める制御手段を備え、該制御手段は、補助照明手段を点灯させて撮像する場合は、前記補助照明手段を点灯させてから適正露出時間を求め、前記撮像手段が露出を開始してから前記補助照明手段を消灯かつ絞り／シャッタ装置の駆動制御を開始する時間を、適正露出時間経過時に前記絞り／シャッタ装置が略半分閉じたときとなるように求め、露出開始から前記求めた時間が経過したときに、前記補助照明手段を消灯してから前記絞り／シャッタ装置の駆動制御を開始すること、に特徴を有する。
【発明の効果】
【００１０】
本発明によれば、補助照明装置および電気的に作動させる絞り／シャッタを備えていながら、これらを駆動するために必要な電流のピークが小さい。
【００１１】
請求項７、８記載発明によれば、露出開始前に求めた適正露出量とほぼ同一の適正露出量が得られる。
【発明を実施するための最良の形態】
【００１２】
本発明について、図示実施形態を参照して説明する。図１は、本発明を適用した、携帯電話、携帯情報端末等の携帯機器用デジタルカメラの、デジタルカメラ関係の構成を示すブロック図である。なお、携帯機器の機能に関する回路は省略した。
【００１３】
撮像レンズ１１は、光量制御手段としての絞り兼用シャッタ１３を備え、撮像レンズ１１、絞り兼用シャッタ１３を透過した被写体光束は、撮像手段としてのＣＣＤ撮像素子１５上に被写体像を形成する。絞り兼用シャッタ１３は絞り兼用シャッタ駆動回路１７により、ＣＣＤ撮像素子１５はＣＣＤ駆動回路１９により駆動される。絞り兼用シャッタ１３は、全開状態から全閉状態の間において、非通電時はその状態に保持され、通電されたときに開方向または閉方向に動作する機構である。
【００１４】
これら絞り兼用シャッタ駆動回路１７およびＣＣＤ駆動回路１９は、システム制御回路２１により駆動制御される。また、システム制御回路２１は、このデジタルカメラ全体の動作を統括的に制御する。
【００１５】
ＣＣＤ撮像素子１５は、各画素毎に、受光した被写体光を光電変換して電荷として蓄積（積分）し、蓄積した電荷を電気的なアナログ画像信号に変換して、ＡＦＥ（Analog Front End）２３に出力する。
【００１６】
ＣＣＤ撮像素子１５は、ＣＣＤ駆動回路１９から出力される垂直駆動信号、水平駆動信号、掃き出し信号等によって駆動される。垂直／水平駆動信号は、ＣＣＤ撮像素子１５の各画素信号を順次シフトさせる信号である。掃き出し信号は、各画素が蓄積した電荷を基板に掃き出させる信号である。掃き出し信号が出力されている間は電荷蓄積（積分）はされず、掃き出し信号が停止してから電荷が蓄積される。掃き出し信号が停止してから次の垂直同期信号出力までの時間が電子シャッタ時間（露出時間）となり、垂直同期信号が、システム制御回路２１から出力される。垂直同期信号の直前で絞り兼用シャッタ１３が閉じた後、ＣＣＤ撮像素子１５の受光素子が蓄積した電荷は、２フィールドかけて、電気的なアナログ画像信号として出力される。
【００１７】
アナログ画像信号は、ＡＦＥ２３においてデジタル信号に変換され、信号処理回路２５により所定フォーマットの画像信号に変換されて、ＬＣＤモニタ２７により映像化され、内蔵メモリ２９に書き込まれる。
【００１８】
この携帯機器用デジタルカメラは、撮像時の補助照明となる、閃光発光しない、つまり連続的に発光する高輝度ＬＥＤ３１を備えている。この高輝度ＬＥＤ３１は、低輝度時など一定の条件下での撮像において、システム制御回路２１によりＬＥＤ駆動回路３３を介して点灯制御される。撮像処理を開始させるレリーズボタン３５を備えていて、このレリーズボタン３５が操作されたときに、システム制御回路２１により撮像に関する処理が実行される。
【００１９】
なお、システム制御回路２１は、図示しないが、携帯機器のモードスイッチ等の操作スイッチ群の操作を受けて、デジタルカメラモード、高輝度ＬＥＤ３１点灯モード、ムービーモードなどのカメラ機能を選択する。デジタルカメラモードでは通常、ＣＣＤ撮像素子１５がビデオカメラと同等に駆動され、所定周期で撮像された映像がＬＣＤモニタ２７に表示される。
【００２０】
次に、デジタルカメラの基本的な撮影動作について、図２、図３に示したタイミングチャートを参照して説明する。このタイミングチャートは、従来の一般的な撮像動作をした場合を示している。図２は、高輝度ＬＥＤ３１を使用する場合の一般的な撮像タイミングチャートである。
【００２１】
レリーズボタン３５が半押しされると、電源３７から撮像回路（ＣＣＤ駆動回路１９、ＡＦＥ２３、および信号処理回路２５を含む）に駆動電流が供給され、撮像処理が開始される。なおレリーズボタン３５の半押しは、半押し、全押しが可能なレリーズボタンを有さない携帯機器においては、他の操作ボタンによってデジタルカメラモードが選択された場合と同等である。この状態では、撮像回路に電流I1が供給される。そうして、最初の垂直同期信号に同期して、高輝度ＬＥＤ３１が点灯される。高輝度ＬＥＤ３１を点灯させるのに必要な電源電流はI2である。
【００２２】
レリーズボタン３５が半押しされている間、ＣＣＤ駆動回路１９から撮像素子駆動信号が出力され、ＣＣＤ撮像素子１５は、最初の垂直同期信号出力時から積分、電荷読み出し処理を繰り返し、アナログ画像信号を定期的に出力する。出力されたアナログ画像信号は、ＡＦＥ２３、信号処理回路２５で処理され、ＬＣＤモニタ２７で映像化される。また、信号処理回路２５及びシステム制御回路２１において、出力されたアナログ画像信号から適正露出時間が求められ、システム制御回路２１は、適正露出時間が得られるように、ＣＣＤ駆動回路１９に対し、シリアル通信によって露出時間を設定する。なお、この実施形態のおいて露出時間とは、絞り兼用シャッタ１３が開いた状態でＣＣＤ撮像素子１５が積分している時間をいう。
【００２３】
レリーズボタン３５が全押しされると、その後最初に出力される垂直同期信号に同期して出力される掃き出し信号が停止したときから次の垂直同期信号が出力されるまでの露出（電子シャッタ）時間に電荷が蓄積され、さらに次の垂直同期信号に同期して蓄積された電荷が読み出され、内蔵メモリ２９に書き込まれると共に、ＬＣＤモニタ２７に表示される。
【００２４】
この絞り兼用シャッタ１３を作動させない撮像処理では、撮像回路駆動用の電源電流I1および高輝度ＬＥＤ３１点灯用の電源電流I2が必要なので、ピーク電流ImaxはI1 + I2 となる。
【００２５】
次に、高輝度ＬＥＤ３１および絞り兼用シャッタ１３を使用する場合の従来一般の撮像動作について、図３に示したタイミングチャートを参照して説明する。
【００２６】
レリーズボタン３５が半押しされると、電源３７から撮像回路（ＣＣＤ撮像素子１５、ＣＣＤ駆動回路１９、ＡＦＥ２３、信号処理回路２５を含む）に駆動電流が供給され、撮像処理が開始される。この状態では、撮像回路に電源電流I1が供給され、撮像回路が動作する。そうして、最初の垂直同期信号に同期して、高輝度ＬＥＤ３１が点灯される。高輝度ＬＥＤ３１を点灯させるのに必要な電源電流はI2である。
【００２７】
レリーズボタン３５が半押しされている間、ＣＣＤ駆動回路１９から撮像素子駆動信号が出力され、ＣＣＤ撮像素子１５は、最初の垂直同期信号出力時から積分、電荷読み出し処理を繰り返し、アナログ画像信号を定期的に出力する。出力されたアナログ画像信号は、ＡＦＥ２３、信号処理回路２５で処理され、ＬＣＤモニタ２７で映像化される。
【００２８】
レリーズボタン３５が全押しされると、その後最初に出力される垂直同期信号からシャッタ時間（露出時間）が計時され、絞り兼用シャッタ１３が半閉じしたときにシャッタ時間が経過するように絞り兼用シャッタ１３が閉駆動される。そうして、絞り兼用シャッタ１３が全閉した後に出力される最初の垂直同期信号に同期して電荷が読み出され、アナログ画像信号として出力される。
【００２９】
高輝度ＬＥＤ３１を点灯させかつ絞り兼用シャッタ１３を作動させる撮像処理では、レリーズボタン３５の半押しで撮像回路駆動用の電源電流I1および高輝度ＬＥＤ３１用の電源電流I2が流れ、さらに絞り兼用シャッタ１３を駆動するための電源電流I3が流れるので、ピーク電流Imaxは、I1 + I2 + I3 となり、非常に大きくなる。
【００３０】
本発明の実施形態は、このピーク電流Imaxを抑えて高輝度ＬＥＤ３１および絞り兼用シャッタ１３を作動させることに特徴を有する。
【実施例１】
【００３１】
本発明の実施形態の撮像動作に関する実施例１について、図４に示したタイミングチャートおよび図５に示したフローチャートを参照して説明する。この処理は、システム制御回路２１によって実施される。
【００３２】
レリーズボタン３５が半押しされるのを待つ（Ｓ１１）。レリーズボタン３５が半押しされたら、撮像回路をＯＮし（Ｓ１１；Ｙ、Ｓ１２）、その後最初に出力される垂直同期信号に同期して高輝度ＬＥＤ３１を点灯させる（Ｓ１３）。以上の処理により、ＣＣＤ駆動回路１９によりＣＣＤ撮像素子１５が駆動され、ＡＦＥ２３、信号処理回路２５、ＬＣＤモニタ２７が作動して、ＣＣＤ撮像素子１５が撮像した画像がＬＣＤモニタ２７に表示される。
【００３３】
ＣＣＤ撮像素子１５から得られた画素信号より信号処理回路２５によって１フィールド毎に算出される輝度情報を用い、ＣＣＤ駆動回路１９に対して、数フィールドかけて補正しながら適正露出となる露出時間T0を設定する（Ｓ１４）。
【００３４】
垂直同期信号に同期して、高輝度ＬＥＤ３１を消灯させ（Ｓ１５）、絞り兼用シャッタ駆動回路１７を介して絞り兼用シャッタ１３を、開放絞りから設定した絞りまで絞り込み（Ｓ１６）、絞り込みが完了したら、再び高輝度ＬＥＤ３１を点灯させる（Ｓ１７）。この例は、被写体輝度が大きい場合であり、絞り兼用シャッタ１３を絞り込むことにより、被写界深度を深くすることができる。
【００３５】
高輝度ＬＥＤ３１を点灯し、絞り兼用シャッタ１３を設定絞りまで絞り込んだ状態でＳ１４と同様にして適正露出となる露出時間T1を演算して設定し（Ｓ１８）、レリーズボタン３５が全押しされるのを待つ（Ｓ１９）。レリーズボタン３５が全押しされるのを待つ間も、露出時間T1の設定で得られた画像信号をＬＣＤモニタ２７に表示する処理を繰り返す。この間、定期的に輝度情報を検出し、露出時間を逐次変更してもよい。
【００３６】
レリーズボタン３５が全押しされると（Ｓ１９；Ｙ）、その後最初に出力される垂直同期信号に同期して、垂直同期信号から露出時間T1が経過するのを待つ露出処理を実行する。露出時間T1が経過したら高輝度ＬＥＤ３１を消灯させ（Ｓ２０）、その後絞り兼用シャッタ１３を全閉させる（Ｓ２１）。
【００３７】
全閉後の最初の垂直同期信号に同期して、ＣＣＤ撮像素子１５の積分が終了し、その後画素信号を２フィールド分の期間内に読み出す（Ｓ２２）。読み出した画素信号は、ＡＦＥ２３、信号処理回路２５により処理され、所定フォーマットのデジタル画像データとして内蔵メモリ２９に書き込まれる。
読み出しが終了してから絞り兼用シャッタ１３を全開させ（Ｓ２３）、撮像回路系の電源をオフして撮像処理を終了する（END）。
【００３８】
この実施例１における電源電流の増減は、次のようになる。
レリーズボタン３５がオンしてから最初の垂直同期信号出力までは電源電流I1が供給される。
高輝度ＬＥＤ３１を点灯してからは電源電流（I1 + I2）が供給される。
絞り兼用シャッタ１３を絞り込み駆動するときは高輝度ＬＥＤ３１を消灯して絞り兼用シャッタ１３を駆動するので電源電流（I1 + I3）が供給される。
絞り兼用シャッタ１３を所定絞りまで絞り込んだ後に再度高輝度ＬＥＤ３１を点灯するので電源電流（I1 + I2）が供給される。
露出終了の際に高輝度ＬＥＤ３１を消灯させてから絞り兼用シャッタ１３を閉じるので、閉じる間は電源電流（I1 + I3）が供給される。
その後読み出しの間は電源電流I1が供給され、読み出し終了後絞り兼用シャッタ１３を開放駆動する間電源電流（I1 + I3）が供給され、絞り兼用シャッタ１３を開放した後は電源電流I1が供給される。
【００３９】
このように実施例１によれば、高輝度ＬＥＤ３１および絞り兼用シャッタ１３を同時に駆動することがないので、ピーク電流は、（I1 + I3）に、または高輝度ＬＥＤ３１の電源電流I2の方が絞り兼用シャッタ１３の電源電流I3よりも大なるときは（I1 + I2）に抑えられる。
【実施例２】
【００４０】
実施例１では、露出時間T1経過時に高輝度ＬＥＤ３１を消灯するが、その後絞り兼用シャッタ１３が完全に閉じるまで露出を継続しているので、やや露出オーバーになる。適正露出で撮像できると共に、消費電力を削減できる本発明の実施例２について、図６に示したタイミングチャートおよび図７に示したフローチャートを参照して説明する。
【００４１】
レリーズボタン３５が半押しされるのを待つ（Ｓ３１）。レリーズボタン３５が半押しされたら、撮像回路をＯＮし（Ｓ３１；Ｙ、Ｓ３２）、その後最初に出力される垂直同期信号に同期して高輝度ＬＥＤ３１を低発光強度L1で点灯させる（Ｓ３３）。つまり、低発光強度L1で高輝度ＬＥＤ３１を点灯させた状態でＣＣＤ駆動回路１９を介してＣＣＤ撮像素子１５を動作させ、さらにＡＦＥ２３、信号処理回路２５、ＬＣＤモニタ２７を動作させて、ＣＣＤ撮像素子１５が撮像した画像をＬＣＤモニタ２７に表示する。
【００４２】
ＣＣＤ撮像素子１５から得られる画像信号より信号処理回路２５によって１フィールド毎に算出される輝度情報を用い、ＣＣＤ駆動回路１９に対して、数フィールドかけて補正しながら適正露出となる絞りおよび露出時間T1を演算し、設定する（Ｓ３４）。
その露出時間Ｔ1による撮像処理を繰り返しながら、レリーズボタン３５が全押しされるのを待つ（Ｓ３５）。
【００４３】
レリーズボタン３５が全押しされると、その後最初の垂直同期信号に同期して、時間T5だけ電荷掃き出し信号を出力させる（Ｓ３５；Ｙ、Ｓ３６）。ここで時間T5は、下記式により求められる。
T5 = T6 − T1 − (T4 / 2)
T4：メカシャッタ動作時間（絞り兼用シャッタ１３が閉動作を開始してから全閉するまでに要する時間）
T6：１フィールド時間（垂直同期信号の間隔）
【００４４】
時間T5が経過すると、高輝度ＬＥＤ３１を高発光強度L2で時間T2だけ点灯させてから消灯させる（Ｓ３７）。ここで時間T2は、下記式によって求められる。
T2 = T1 − T3 − (T4 / 2)
L2 = L1×(T1 / T2)
T3：メカ遅れ時間（絞り兼用シャッタ１３を起動してから実際に絞り兼用シャッタ１３が閉動作開始するまでの遅延時間）
【００４５】
また、低発光強度L1で点灯させるときの電源電流はI2、高発光強度L2で点灯させるときの電源電流はI4であり、I2＜I4である。つまり、高発光強度L2による点灯の方が低発光強度L1による点灯よりも明るい。
【００４６】
時間T2経過後、絞り兼用シャッタ１３を全閉させる（Ｓ３８）。絞り兼用シャッタ１３は、時間T2経過時に絞り兼用シャッタ駆動回路１７を介して全閉するように通電が開始されるが、メカ遅れ時間T3後に実際の閉動作を開始し、メカシャッタ動作時間T4経過後に全閉する。
【００４７】
メカシャッタ動作時間T4経過後、最初に出力される垂直同期信号に同期して、２フィールドかけてＣＣＤ撮像素子１５から画素信号を静止画として読み出し、内蔵メモリ２９に書き込む（Ｓ３９）。その後、絞り兼用シャッタ１３を全開駆動し、撮像回路をオフして撮像処理を終了する（Ｓ４０、Ｓ４１、END）。
【００４８】
実施例２における電源電流の増減は、次のようになる。
レリーズボタン３５がオンしてから最初の垂直同期信号出力までは電源電流I1が供給される。
その後最初の垂直同期信号に同期して高輝度ＬＥＤ３１を低発光強度L1で高輝度ＬＥＤ３１を点灯させるので電源電流（I1 + I2）が供給される。
レリーズボタン３５が全押しされると、その後最初の同期信号に同期させて高輝度ＬＥＤ３１を低発光強度L1よりも明るい高発光強度L2で点灯させるので、電源電流（I1 + I4）が供給される。
その後、最初の垂直同期信号から時間T5 + T2経過時に高輝度ＬＥＤ３１を消灯させるとともに、絞り兼用シャッタ１３を閉動作させるので、電源電流（I1 + I3）が供給される。
絞り兼用シャッタ１３が全閉したら絞り兼用シャッタ１３への電源電流が遮断されるので、電源電流I1が供給される。
その後読み出しの間は電源電流I1が供給され、読み出し終了後絞り兼用シャッタ１３を開放駆動する間は電源電流（I1 + I3）が供給され、その後は電源電流I1が供給される。
【００４９】
このように実施例２では、絞り兼用シャッタ１３と高輝度ＬＥＤ３１を同時に駆動することがないので、ピーク電流は、（I1 + I3）または高輝度ＬＥＤ３１が消費する電源電流I4の方が絞り兼用シャッタ１３が消費する電源電流I3よりも大なるときは（I1 + I4）に抑えられる。
【００５０】
さらに、露出時間の全てに亘って低発光強度L1で点灯していることを条件に設定した露出時間T1で適正露出となるように、露出中は高輝度ＬＥＤ３１を低発光強度L1よりも明るい発光強度L2で点灯させるので、適正露出による撮像が可能になる。
【００５１】
また、本実施形態では１個の高輝度ＬＥＤ３１を示したが、複数個の高輝度ＬＥＤを設け、高発光強度L2のときは全高輝度ＬＥＤを点灯させ、低発光強度L1のときは半分または一部の高輝度ＬＥＤを点灯させまたは点灯させない構成にできる。
【実施例３】
【００５２】
ピーク電流を抑えつつ適正露出が得られる本発明の実施例３について、図８に示したタイミングチャートおよび図９に示したフローチャートを参照して説明する。
【００５３】
レリーズボタン３５が半押しされるのを待つ（Ｓ５１）。レリーズボタン３５が半押しされたら、撮像回路をＯＮし（Ｓ５１；Ｙ、Ｓ５２）、その後最初に出力される垂直同期信号に同期して高輝度ＬＥＤ３１を点灯させる（Ｓ５３）。以上の処理により、ＣＣＤ駆動回路１９を介してＣＣＤ撮像素子１５が作動し、ＡＦＥ２３、信号処理回路２５、ＬＣＤモニタ２７が作動して、ＣＣＤ撮像素子１５が撮像した画像がＬＣＤモニタ２７に表示される。
【００５４】
Ｓ３４と同様にして、適正露出となる絞りおよび露出時間T1を演算して設定し（Ｓ５４）、Ｓ３５と同様にして、レリーズボタン３５が全押しされるのを待つ（Ｓ５５）。
【００５５】
レリーズボタン３５が全押しされると（Ｓ５５；Ｙ）、その後最初に出力される垂直同期信号に同期して、垂直同期信号検出時からシャッタ時間T7が経過するのを待ち、シャッタ時間T7が経過したら高輝度ＬＥＤ３１を消灯させる（Ｓ５６）。ここでシャッタ時間T7は、下記式により演算される。
T2 = T1 − T3 − (T4 / 2)
T7 = (T1 + T2) / 2
【００５６】
なお、露出時間T1は、高輝度ＬＥＤ３１を露出中全期間点灯していた状態で、露出時間T1経過時に絞り兼用シャッタ１３が半絞りになれば適正露出となる時間である。したがって、シャッタ時間T7経過時に高輝度ＬＥＤ３１を消灯および絞り兼用シャッタ１３に全閉通電を開始すると、メカ遅れ時間T3後に絞り兼用シャッタ１３が閉動作を開始したときに露出時間T1が経過するので、ほぼ適正露出となる。しかし、露出時間T1経過時に高輝度ＬＥＤ３１を消灯し絞り兼用シャッタ１３に全閉通電を開始すると、メカ遅れ時間T3分露出時間が長くなるので、露出オーバーとなる。また、露出時間T1より、メカ遅れ時間T3＋メカシャッタ動作時間T4だけ早く高輝度ＬＥＤ３１を消灯し、絞り兼用シャッタ１３に全閉通電を開始すると、半閉したときに露出時間T1が経過するので、露出アンダーとなる。
【００５７】
シャッタ時間T7が経過したら絞り兼用シャッタ１３を全閉させ（Ｓ５７）、全閉後に出力される垂直同期信号から２フィールド期間かけてＣＣＤ撮像素子１５から画素信号を読み出す（Ｓ５８）。なお、読み出した画素信号は、ＡＦＥ２３、信号処理回路２５により処理され、内蔵メモリ２９に書き込まれると共に、所定時間、ＬＣＤモニタ２７に画像として表示される。
【００５８】
その後、絞り兼用シャッタ１３を全開させ、撮像回路をオフしてデジカメモードを終了する（Ｓ５９、Ｓ６０、END）。
【００５９】
この実施例３における電源電流の増減は、次のようになる。
レリーズボタン３５がオンしてから最初の垂直同期信号出力までは電源電流I1が供給される。
高輝度ＬＥＤ３１を点灯してからは電源電流（I1 + I2）が供給される。
露出終了の際に絞り兼用シャッタ１３を全閉駆動するときは高輝度ＬＥＤ３１を消灯してから絞り兼用シャッタ１３を駆動するので電源電流（I1 + I3）が供給される。
その後読み出しの間は電源電流I1が供給され、読み出し終了後絞り兼用シャッタ１３を開放駆動する間は電源電流（I1 + I3）が供給され、その後電源電流I1が供給される。
【００６０】
このように実施例３によれば、高輝度ＬＥＤ３１および絞り兼用シャッタ１３を同時に駆動しないので、ピーク電流は、（I1 + I3）または高輝度ＬＥＤ３１の電源電流I2の方が絞り兼用シャッタ１３の電源電流I3よりも大なるときは（I1 + I2）に抑えられる。
【００６１】
しかも実施例３によれば、高輝度ＬＥＤ３１を消灯させて絞り兼用シャッタ１３を起動するシャッタ時間T7を露出オーバーとなる時間T1と露出アンダーとなる時間T2との中間に設定したので、ほぼ適正な露出で撮像ができる。
【００６２】
以上本発明を適用したデジタルカメラでは、撮像素子としてＣＣＤ撮像素子１５を搭載したが、ＣＭＯＳ撮像素子を搭載してもよい。また光量制御手段として絞り兼用シャッタ１３を使用したが、絞りとシャッタをそれぞれ独立に設けてもよい。さらに、NDフィルターを移動または回転等する光量制御装置を適用してもよい。
【図面の簡単な説明】
【００６３】
【図１】本発明を適用した携帯機器用デジタルカメラの、デジタルカメラ関係の構成を示すブロック図である。
【図２】携帯機器用デジタルカメラにおいて、補助照明として高輝度ＬＥＤを点灯させた場合の一般的な撮像タイミングチャートを示す図である。
【図３】携帯機器用デジタルカメラにおいて、補助照明として高輝度ＬＥＤを点灯させ、絞り装置を作動させた場合の一般的な撮像タイミングチャートを示す図である。
【図４】本発明を適用した携帯機器用デジタルカメラの実施形態の実施例１の撮像タイミングチャートを示す図である。
【図５】同実施例１の撮像動作をフローチャートで示す図である。
【図６】本発明を適用した携帯機器用デジタルカメラの実施形態の実施例２の撮像タイミングチャートを示す図である。
【図７】同実施例２の撮像動作をフローチャートで示す図である。
【図８】本発明を適用した携帯機器用デジタルカメラの実施形態の実施例３の撮像タイミングチャートを示す図である。
【図９】同実施例３の撮像動作をフローチャートで示す図である。
【符号の説明】
【００６４】
１１  撮像レンズ
１３  絞り兼用シャッタ
１５  ＣＣＤ撮像素子
１７  絞り兼用シャッタ駆動回路
１９  ＣＣＤ駆動回路
２１  システム制御回路
２３  ＡＦＥ（Analog Front End）
２５  信号処理回路
２７  ＬＣＤモニタ
２９  内蔵メモリ
３１  高輝度ＬＥＤ
３３  ＬＥＤ駆動回路
３５  レリーズボタン
３７  電源
【図１】
2005275392.tif 000003
【図２】
2005275392.tif 000004
【図３】
2005275392.tif 000005
【図４】
2005275392.tif 000006
【図５】
2005275392.tif 000007
【図６】
2005275392.tif 000008
【図７】
2005275392.tif 000009
【図８】
2005275392.tif 000010
【図９】
2005275392.tif 000011